(57)【要約】【課題】構造が簡単で安価なサーフボード用ワックススクレーパを提供する。【解決手段】ワックススクレーパ１０は、入口１１ｆを有する箱状の回収部１１を備えている。この入口１１ｆには、掻き取り刃部１２と、ガイド突起１３ａと、櫛歯１４とが回収部１１と一体に形成されている。ガイド突起１３ａをワックス層２２の表面２２ａに当接すると、掻き取り刃部１２が表面２２ａに対して所定角度に位置決めされる。サーフボード２１と平行にワックススクレーパ１０を移動させると、掻き取り刃部１２がワックス層２２を掻き取る。この掻き取られたワックスくず２３が回収部１１に回収される。【選択図】図６
2011125671.tif 000002
【特許請求の範囲】
【請求項１】
前方が開口した入口を有し、掻き取ったワックスくずを回収する回収部と、
前記入口上に、前記回収部と一体に形成されており、サーフボードに塗布されたワックス層を掻き取るための掻き取り刃部と、
を備えたことを特徴とするサーフボード用ワックススクレーパ。
【請求項２】
前記回収部は、底板、天板、一対の側板、及び後板を備え、前記入口を構成する前記底板の端部に、前記掻き取り刃部が形成されていることを特徴とする請求項１記載のサーフボード用ワックススクレーパ。
【請求項３】
前記天板に開閉自在な蓋を一体に形成し、前記回収部に塗布用のワックス製品を収容可能にしたことを特徴とする請求項２記載のサーフボード用ワックススクレーパ。
【請求項４】
前記入口を構成する前記一対の側板の端部に、位置決め面を有するガイド突起を形成し、この位置決め面を前記ワックス層の表面に当接させたときに、前記掻き取り刃部が前記ワックス層の表面に対して所定角度に維持されることを特徴とする請求項２又は３記載のサーフボード用ワックススクレーパ。
【請求項５】
前記掻き取り刃部は、上刃面と下刃面を有し、前記下刃面は前記位置決め面の延長線上に位置することを特徴とする請求項４記載のサーフボード用ワックススクレーパ。
【請求項６】
前記掻き取り刃部の上刃面と下刃面とがなす角度は、７０°〜８０°であることを特徴とする請求項５記載のサーフボード用ワックススクレーパ。
【請求項７】
前記入口を構成する前記天板の端部に、前記ワックス層に滑り止めの筋を入れるための複数の櫛歯が一体に形成されていることを特徴とする請求項２ないし６いずれか１項記載のサーフボード用ワックススクレーパ。
【請求項８】
前記後板は、円弧状に湾曲していることを特徴とする請求項２ないし７いずれか１項記載のサーフボード用ワックススクレーパ。
【請求項９】
前記入口に嵌合するキャップを設けたことを特徴とする請求項１ないし８いずれか１項記載のサーフボード用ワックススクレーパ。
【発明の詳細な説明】
【技術分野】
【０００１】
本発明は、サーフボードに塗布したワックスを掻き取る際に使用するサーフボード用ワックススクレーパに関するものである。
【背景技術】
【０００２】
サーフィンでは、サーフボード上での滑り止めのためにワックスが使用される。このワックスは、サーフィンをする際、人とサーフボードとが接する箇所全てに対して塗布される。また、グリップ力を向上させるために、塗布したワックスに筋を入れたり、毛羽立たせたりすることも行われる。
【０００３】
ワックスは、いくつかのメーカーから市販されており、適切なグリップ力を得るために、水温のレベルに応じたものが使われる。その日に初めてサーフィンをするとき、あるいはグリップ力が低下してきたときなどは、これまで塗布されていたワックスを掻き取ってから、水温のレベルに応じて最適なワックスを新たに塗布する。このワックスの掻き取り作業を行う際、ワックススクレーパが使用される。
【０００４】
従来のサーフボード用ワックススクレーパは、板部材の一辺にワックスを掻き取るための掻き取り刃部が形成されている。また、ワックスに筋を入れたり、毛羽立たせたりするための櫛歯を一体に形成したものもある（特許文献１参照）。
【０００５】
また、ワックスは、スキーやスノーボードにも塗布されるが、このワックスは、滑走面の滑りを良くするためのものであり、滑り止めを図るためのサーフボード用のワックスとは、機能が全く異なっている。このスキーやスノーボード用の場合は、ワックスを滑走面に塗布してから、スキー用のワックス落とし具で滑走面からワックスを削り落として、滑走面の表面にできるだけ薄くワックスが残っている状態に仕上げる。スキー用のワックス落とし具としては、特許文献２に記載されているように、上部が開放した箱状をしており、底板に長孔が形成された本体と、長孔から突出するように本体内に固定された掻き取り刃と、本体の上部に被さる箱状の蓋部とから構成されたものが知られている。
【先行技術文献】
【特許文献】
【０００６】
【特許文献１】実公平６−１１０３６号公報
【特許文献２】実開平５−１１９７６号公報
【発明の概要】
【発明が解決しようとする課題】
【０００７】
上記特許文献１記載のサーフボード用ワックススクレーパでは、掻き取ったワックスのくずがこぼれ落ちて周囲を汚してしまうという問題がある。
【０００８】
上記特許文献２記載のスキー用ワックス落とし具は、掻き取り刃で薄く掻き取ったワックスくずが長孔を通って本体内に入り込むため、周囲にこぼれ落ちることはない。しかし、スキー用ワックス落とし具は、滑走面上に薄いワックス層が残るようにワックスを削り取るものであるから、鋭利な掻き取り刃や、刃先の突出量を規制するための刃取り付け構造が必要となり、構成が複雑でコストがかかってしまい。サーフボード用ワックススクレーパとして利用することはできない。また、蓋部が本体に被せられており、本体内が見えないため、どれぐらいワックスが回収されているかが分からないという問題があった。さらにまた、掻き取りくずを廃棄するためには、わざわざ蓋部を取り外さなくてはならないという不都合があった。
【０００９】
本発明は、構造が簡単で安価に製造することができるサーフボード用ワックススクレーパを提供することを目的とするものである。
【００１０】
本発明の別の目的は、ワックスくずの回収状態を観察することができるサーフボード用ワックススクレーパを提供することにある。
【課題を解決するための手段】
【００１１】
上記目的を達成するために、本発明は、前方が開口した入口を有し、掻き取ったワックスくずを回収する回収部と、前記入口上に、前記回収部と一体に形成されており、塗布されたワックス層を掻き取るための掻き取り刃部と、を備えたことを特徴とする。
【００１２】
前記回収部は、底板、天板、一対の側板、及び後板を備え、前記入口を構成する前記底板の端部に、前記掻き取り刃部が形成されていることが好ましい。
【００１３】
前記天板に開閉自在な蓋を一体に形成し、前記回収部に塗布用のワックス製品を収容可能にしたことが好ましい。
【００１４】
前記入口を構成する前記一対の側板の端部に、位置決め面を有するガイド突起を形成し、この位置決め面を前記ワックス層の表面に当接させたときに、前記掻き取り刃部が前記ワックス層の表面に対して所定角度に維持されることが好ましい。また、前記掻き取り刃部は、上刃面と下刃面を有し、前記下刃面は前記位置決め面の延長線上に位置することが好ましい。なお、前記掻き取り刃部の上刃面と下刃面とがなす角度は、７０°〜８０°であることが好ましい。
【００１５】
前記入口を構成する前記天板の端部に、前記ワックス層に滑り止めの筋を入れるための複数の櫛歯が一体に形成されていることが好ましい。また、前記後板は、円弧状に湾曲していることが好ましい。更に、前記入口に嵌合するキャップを設けたことが好ましい。
【発明の効果】
【００１６】
本発明によれば、ワックスくずを回収する回収部の入口に、ワックスを掻き取る掻き取り刃部を一体に形成しているので、構造が簡単であり、安価に製造することができる。
【００１７】
入口側が大きく開口しているので、ここからワックスくずの回収状態を簡単に知ることができる。
【００１８】
天板に開閉自在の蓋を設けたから、回収部にワックス製品を収納することができるとともに、掻き取ったワックスくずを回収部から排出するのが容易となる。また、材質を透明にすることにより、回収部の内部を外部から知ることができる。
【００１９】
一対の側板にガイド突起を形成したから、ワックスの掻き取り中に、掻き取り刃部をワックス層に対して所定の角度を保つことができ、ワックス層をきれいに掻き取ることができる。
【００２０】
掻き取り刃部に対応した位置に櫛歯を形成したから、ワックス層に簡単に滑り止めの筋を入れることができる。また、後板が円弧状をしているから手が当て易くなり、掻き取り操作がしやすい。更に入口にキャップを嵌合すれば、櫛歯が邪魔になることがない。
【図面の簡単な説明】
【００２１】
【図１】本発明のサーフボード用ワックススクレーパの斜視図である。
【図２】ワックススクレーパの底面側斜視図である。
【図３】ワックススクレーパの断面図である。
【図４】ワックススクレーパの回収部に塗布用のワックス製品を収容した状態を示す断面図である。
【図５】開閉蓋を開放状態としたワックススクレーパを示す斜視図である。
【図６】ワックスを掻き取っている状態を示す断面図である。
【図７】ワックスに筋を入れている状態を示す断面図である。
【図８】キャップを被せた状態のワックススクレーパを示す斜視図である。
【図９】後方に膨出部を形成した実施形態を示す斜視図である。
【発明を実施するための形態】
【００２２】
図１及び図２に示すように、本発明のサーフボード用ワックススクレーパ１０は、回収部１１と、掻き取り刃部１２と、ガイド突起１３ａ，１３ｂと、櫛歯１４と、開閉蓋１５とが一体に形成されている。ワックススクレーパ１０は、例えば、ＡＢＳ樹脂などを用いて射出成形により各部が一体に形成されているため、安価に製造することができる。
【００２３】
回収部１１は、底板１１ａ、天板１１ｂ、側板１１ｃ，１１ｄ、及び後板１１ｅ（図３参照）からなる箱状をしている。また、底板１１ａ側から天板１１ｂ側へ徐々に大きくなった台形状の略直方体をしており、ワックスの掻き取り方向の前方が開口されて入口１１ｆを構成する。使用済みワックスを掻き取ったワックスくずは、入口１１ｆを通して回収部１１の内部へ回収される。このワックスくずは、ゴム粘土のような粘性を有しており、回収部１１内に付着する。
【００２４】
図３に示すように、掻き取り刃部１２は、入口１１ｆに接する底板１１ａの先端に形成されている。掻き取り刃部１２は、上下に刃面を有する。なお、ワックスを掻き取り易くするため、下刃面１２ａと上刃面１２ｂとがなす角度αが７０°〜８０°に形成されていることが好ましい。
【００２５】
ガイド突起１３ａ，１３ｂは、両側板１１ｃ，１１ｄの先端に形成されている。このガイド突起１３は、掻き取り刃部１２よりも前方に突出し、先端の位置決め面１６ａ，１６ｂが掻き取り刃部１２に対して所定の角度βを持って形成されている。これにより、ガイド突起１３ａ，１３ｂの位置決め面１６ａ，１６ｂをワックス層２２の表面２２ａ（図６参照）に当接させたとき、掻き取り刃部１２がワックス層２２の表面２２ａに対して所定の角度βに保たれる。なお、位置決め面１６ａ，１６ｂに対する掻き取り刃部１２の角度βは、４０°〜５０°に形成されていることが好ましい。
【００２６】
掻き取り刃部１２の下刃面１２ａは、ガイド突起１３ａ，１３ｂの位置決め面１６ａ，１６ｂの延長線上に位置する。これにより、位置決め面１６ａ，１６ｂをワックス層２２の表面２２ａに当接させたとき、掻き取り刃部１２の下刃面１２ａがワックス層２２の表面２２ａに当接する。
【００２７】
櫛歯１４は、ワックス層２２に筋を入れて滑りにくくするためのものである。この櫛歯１４は、天板１１ｂの先端に沿って、等間隔で複数形成されている。これらの櫛歯１４は、天板１１ｂと同じ厚みで、前方に向かって徐々に幅が狭くなるように三角形をしている。
【００２８】
回収部１１内は、ワックススクレーパ１０の不使用時に、図４に示すように、ワックス製品２０の収容室として利用される。このワックス製品２０の取り出しのために、図５に示すように、天板１１ｂに開口１７と、開閉蓋１５とが設けられている。この場合、ワックス製品２０の寸法に合わせて回収部１１の寸法が定められる。
【００２９】
開閉蓋１５は、開口１７に接する一辺に形成された薄肉のヒンジ部１８を介して回収部１１と一体に形成されている。この開閉蓋１５は、開口１７を通して回収部１１の内部を露呈させる開放位置（図５に示す位置）、および遮蔽する閉じ位置（図１に示す位置）との間で開閉自在となっている。また、開閉蓋１５は、ヒンジ部１８と反対側の一辺に、係止片１９が形成されている。係止片１９は、開口１７の周縁と係合して、開閉蓋１５を閉じ位置に保持する。開閉蓋１５を閉じ位置から開放位置に向かって持ち上げると、係止片１９が弾性変形することにより開口１７の周縁を乗り越えて係合が解除され、開閉蓋１５の開放が許容される。
【００３０】
次に、図６及び図７を参照して、ワックススクレーパ１０の作用について説明する。サーフボードに新しいワックスを塗布する前に、古いワックスが掻き取られる。このワックスの掻き取りに際しては、先ずガイド突起１３ａ，１３ｂの位置決め面１６ａ，１６ｂをサーフボード２１に塗布されたワックス層２２の表面２２ａに当接して、掻き取り刃部１２を表面２２ａに対して所定の角度に位置決めさせる。そして、掻き取り刃部１２をワックス層２２に食い込ませるように押し付けながら、サーフボード２１と平行にワックススクレーパ１０を移動させると、掻き取り刃部１２がワックス層２２を掻き取る。
【００３１】
掻き取り刃部１２によって掻き取られたワックスは、掻き取りくず２３として、入口１１ｆから回収部１１の内部に回収される。このように、掻き取り作業によって発生した掻き取りくず２３が周囲に飛び散ることなく、容易に回収される。また、ワックス層２２の掻き取り作業により、回収部１１の内部に掻き取りくず２３が溜まったときには、開閉蓋１５を開放して開口１７から掻き取りくず２３をゴミ箱内へ廃棄する。掻き取りくず２３を回収部１１に回収して廃棄すれば良いので、作業者の手を汚すことがない。また、開閉蓋１５を開放すると回収部１１の殆どが露呈するから、掻き取りくず２３の廃棄や、回収部１１内の清掃が容易である。
【００３２】
古いワックスの掻き取り後に、ワックス製品２０をサーフボード２１にこすりつけて、新しいワックス層を形成する。この余ったワックス製品又は購入した未使用のワックス製品２０は、開閉蓋１５を開き、開口１７から回収部１１に収容する。ワックス製品２０の収容後に、開閉蓋１５を閉じれば、ワックス製品２０は、掻き取り刃部１２の根元により、入口１１ｆから抜け出ることなく、回収部１１内に収容される。これにより、ワックス製品２０が紛失することなく、ワックススクレーパ１０と一緒に保管することができる。
【００３３】
サーフボードに塗布されたワックス層２２に筋を入れて滑りにくくする場合は、図７に示すようにワックス層２２に櫛歯１４を押し付けてサーフボード２１と平行にワックススクレーパ１０を移動させる。櫛歯１４は、掻き取り刃部１２及びガイド突起１３ａ，１３ｂよりも前方に突出しているため、櫛歯１４でワックス層２２に筋を入れるとき、掻き取り刃部１２、ガイド突起１３ａ，１３ｂが引っ掛かることが無い。
【００３４】
また、ワックススクレーパ１０には、櫛歯１４が邪魔にならないように入口１１ｆを覆うキャップを設けてもよい。図８に示す例では、回収部１１の入口１１ｆ側から被せる箱状のキャップ２４を設けている。この場合、キャップ２４は櫛歯１４、ガイド突起１３ａ，１３ｂととともに掻き取り刃部１２を覆って保護することができる。
【００３５】
上記実施形態では、回収部１１は、底板１１ａに比べて天板１１ｂの方が幅及び長さを大きくして台形状の箱に形成されているが、これに限らず、掻き取りくずを回収できる形状であればよい。例えば、長方形の天板、底板、側板、後板からなる直方体の箱でもよい。あるいは、図９に示すように、後板を円弧状にして回収部１１の後方へ膨出する膨出部２５を形成してもよい。この場合は、ワックスの掻き取り時に膨出部２５に手が当たるから、ワックススクレーパ１０が押し易くなる。
【００３６】
ワックス製品２０を回収部１１内に収容しない場合には、天板１１ｂの開口１７や開閉蓋１５はなくてもよい。この場合には、ワックスの掻き取りくず２３は入口１１ｆから取り出される。
【００３７】
上記実施形態では、ワックススクレーパの材料としてＡＢＳ樹脂を一例に上げているが他の樹脂でもよく、あるいはＳＵＳなどの金属から成形してもよい。また、回収部１１内が見れるように透明な樹脂を使用して、開閉蓋１５の部分、又は全体を透明としてもよい。
【符号の説明】
【００３８】
１０  ワックススクレーパ
１１  回収部
１２  掻き取り刃部
１３ａ，１３ｂ  ガイド突起
１４  櫛歯
１５  開閉蓋
１７  開口
２０  ワックス製品
２２  ワックス層
２１  サーフボード
２３  掻き取りくず
２４  キャップ
【図１】
2011125671.tif 000003
【図２】
2011125671.tif 000004
【図３】
2011125671.tif 000005
【図４】
2011125671.tif 000006
【図５】
2011125671.tif 000007
【図６】
2011125671.tif 000008
【図７】
2011125671.tif 000009
【図８】
2011125671.tif 000010
【図９】
2011125671.tif 000011
【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
掻き取り方向と交差し、且つ掻き取り方向の前方に位置する面が開口された入口を有し、前記入口を通して掻き取ったワックスくずを回収する回収部と、
前記入口に接して、前記回収部と一体に形成されており、サーフボードに塗布されたワックス層を掻き取るための掻き取り刃部と、
を備えたことを特徴とするサーフボード用ワックススクレーパ。
【請求項２】
前記回収部は、底板、天板、一対の側板、及び後板を備え、前記入口を構成する前記底板の端部に、前記掻き取り刃部が形成されていることを特徴とする請求項１記載のサーフボード用ワックススクレーパ。
【請求項３】
前記天板に開閉自在な蓋を一体に形成し、前記回収部に塗布用のワックス製品を収容可能にしたことを特徴とする請求項２記載のサーフボード用ワックススクレーパ。
【請求項４】
前記入口を構成する前記一対の側板の端部に、位置決め面を有するガイド突起を形成し、この位置決め面を前記ワックス層の表面に当接させたときに、前記掻き取り刃部が前記ワックス層の表面に対して所定角度に維持されることを特徴とする請求項２又は３記載のサーフボード用ワックススクレーパ。
【請求項５】
前記掻き取り刃部は、上刃面と下刃面を有し、前記下刃面は前記位置決め面の延長線上に位置することを特徴とする請求項４記載のサーフボード用ワックススクレーパ。
【請求項６】
前記掻き取り刃部の上刃面と下刃面とがなす角度は、７０°〜８０°であることを特徴とする請求項５記載のサーフボード用ワックススクレーパ。
【請求項７】
前記入口を構成する前記天板の端部に、前記ワックス層に滑り止めの筋を入れるための複数の櫛歯が一体に形成されていることを特徴とする請求項２ないし６いずれか１項記載のサーフボード用ワックススクレーパ。
【請求項８】
前記後板は、円弧状に湾曲していることを特徴とする請求項２ないし７いずれか１項記載のサーフボード用ワックススクレーパ。
【請求項９】
前記入口に嵌合するキャップを設けたことを特徴とする請求項１ないし８いずれか１項記載のサーフボード用ワックススクレーパ。
【手続補正２】
【補正対象書類名】明細書
【補正対象項目名】００１１
【補正方法】変更
【補正の内容】
【００１１】
上記目的を達成するために、本発明は、掻き取り方向と交差し、且つ掻き取り方向の前方に位置する面が開口された入口を有し、前記入口を通して掻き取ったワックスくずを回収する回収部と、前記入口に接して、前記回収部と一体に形成されており、サーフボードに塗布されたワックス層を掻き取るための掻き取り刃部と、を備えたことを特徴とする。
【手続補正３】
【補正対象書類名】明細書
【補正対象項目名】００１６
【補正方法】変更
【補正の内容】
【００１６】
本発明によれば、掻き取り方向と交差し、且つ掻き取り方向の前方に位置する面が開口された入口を有し、ワックスくずを回収する回収部の入口に接して、ワックスを掻き取る掻き取り刃部を一体に形成しているので、構造が簡単であり、安価に製造することができる。
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
底板、天板、一対の側板、及び後板とで構成され、掻き取り方向と交差し、且つ掻き取り方向の前方に位置する面を開口した入口を有し、前記入口を通して掻き取ったワックスくずを回収する回収部と、
前記入口を構成する前記底板の端部と一体に形成されており、サーフボードに塗布されたワックス層を掻き取るための掻き取り刃部と、
を備えたことを特徴とするサーフボード用ワックススクレーパ。
【請求項２】
前記天板に開閉自在な蓋を一体に形成し、前記回収部に塗布用のワックス製品を収容可能にしたことを特徴とする請求項１記載のサーフボード用ワックススクレーパ。
【請求項３】
前記入口を構成する前記一対の側板の端部に、位置決め面を有するガイド突起を形成し、この位置決め面を前記ワックス層の表面に当接させたときに、前記掻き取り刃部が前記ワックス層の表面に対して所定角度に維持されることを特徴とする請求項１又は２記載のサーフボード用ワックススクレーパ。
【請求項４】
前記掻き取り刃部は、上刃面と下刃面を有し、前記下刃面は前記位置決め面の延長線上に位置することを特徴とする請求項３記載のサーフボード用ワックススクレーパ。
【請求項５】
前記掻き取り刃部の上刃面と下刃面とがなす角度は、７０°〜８０°であることを特徴とする請求項４記載のサーフボード用ワックススクレーパ。
【請求項６】
前記入口を構成する前記天板の端部に、前記ワックス層に滑り止めの筋を入れるための複数の櫛歯が一体に形成されていることを特徴とする請求項１ないし５いずれか１項記載のサーフボード用ワックススクレーパ。
【請求項７】
前記後板は、円弧状に湾曲していることを特徴とする請求項１ないし６いずれか１項記載のサーフボード用ワックススクレーパ。
【請求項８】
前記入口に嵌合するキャップを設けたことを特徴とする請求項１ないし７いずれか１項記載のサーフボード用ワックススクレーパ。
【手続補正２】
【補正対象書類名】明細書
【補正対象項目名】００１１
【補正方法】変更
【補正の内容】
【００１１】
上記目的を達成するために、本発明は、底板、天板、一対の側板、及び後板とで構成され、掻き取り方向と交差し、且つ掻き取り方向の前方に位置する面が開口された入口を有し、前記入口を通して掻き取ったワックスくずを回収する回収部と、前記入口を構成する前記底板の端部と一体に形成されており、サーフボードに塗布されたワックス層を掻き取るための掻き取り刃部と、を備えたことを特徴とする。
【手続補正３】
【補正対象書類名】明細書
【補正対象項目名】００１６
【補正方法】変更
【補正の内容】
【００１６】
本発明によれば、底板、天板、一対の側板、及び後板とで回収部を構成するとともに、掻き取り方向と交差し、且つ掻き取り方向の前方に位置する面が開口された入口を回収部に形成し、入口を構成する底板の端部に掻き取り刃部を一体に形成しているので、構造が簡単であり、安価に製造することができる。